(57)【要約】【課題】現場収録データを、現在又は過去データを問わず多様に表示できる携帯型データ収録装置を提供し、利便性向上を図る。【解決手段】外部のセンサから入力される複数チャンネルのデータを収録する携帯型データ収録装置１において、任意の画面構成でデータ表示できるドットマトリクス表示部９と、複数チャンネルのデータの中から１チャンネル以上のデータを選択して表示部９に表示させる制御部２１と、制御部を操作するキー操作部１１を備える。キー操作で表示チャンネルの数を１又はそれ以上との間で任意に切り替えられ、複数ＣＨ表示ではデータ相互間の比較判定が可能である。複数チャンネルの組み合わせをキー操作で変えれば、比較判定の対象データが自在に選択できる。複数チャンネル表示時、各チャンネルの指示値と共にこれらの平均値や差演算値等、付随情報を表示できる。過去のデータについても同様に表示可能である。【選択図】図１
2004191318.tif 000002
【特許請求の範囲】
【請求項１】
外部のセンサから入力される複数チャンネルのデータを収録する携帯型データ収録装置において、
任意の画面構成でデータ表示を行なうことができるドットマトリクス表示部と、
前記複数チャンネルのデータの中から１チャンネル以上のデータを選択して前記ドットマトリクス表示部に表示させる制御部と、
前記制御部を操作するためのキー操作部と、
を有することを特徴とする携帯型データ収録装置。
【請求項２】
請求項１記載の携帯型データ収録装置において、
前記制御部が、キー操作で表示チャンネルの数を１又はそれ以上との間で任意に切り替える機能を有することを特徴とする携帯型データ収録装置。
【請求項３】
請求項１記載の携帯型データ収録装置において、
前記制御部が、全チャンネル数よりも少ない数のチャンネルを表示しているときに、表示するチャンネルの組み合わせをキー操作で変える機能を有することを特徴とする携帯型データ収録装置。
【請求項４】
請求項１記載の携帯型データ収録装置において、
前記制御部が、２チャンネル以上を表示しているときに各チャンネルの指示値に加え、表示された各チャンネル間の演算値を表示する機能を有すことを特徴とする携帯型データ収録装置。
【請求項５】
請求項１記載の携帯型データ収録装置において、
前記制御部が、現在表示しているチャンネルの過去のデータをキー操作により表示する機能を有することを特徴とする携帯型データ収録装置。
【請求項６】
請求２又は３記載の携帯型データ収録装置において、
前記制御部が、現在表示しているチャンネルの過去のデータをキー操作により表示する機能を有することを特徴とする携帯型データ収録装置。
【請求項７】
請求項５又は６記載の携帯型データ収録装置において、
前記制御部が、過去データ表示時に当該過去データの付随情報を同時に表示する機能を有することを特徴とする携帯型データ収録装置。
【発明の詳細な説明】
【０００１】
【発明の属する技術分野】
本発明は、複数のセンサから入力されるデータを収録する携帯型データ収録装置に関し、さらに詳しくは、食品加工、温室・ビニールハウス等、設備機器・プラント・電力室等における温度・湿度・電圧のデータ収録に用いて好適な携帯型データ収録装置に関する。
【０００２】
【従来の技術】
外部センサから入力されるデータを収録し、かつ携帯可能とした装置に携帯型データ収録装置（データロガー）がある。この種の携帯型データ収録装置は、例えば熱電対や測温抵抗体などの温度センサからの入力値や、電圧計、電流計からの電圧、電流値をデータとして取り込み、それを一旦内部メモリに格納した後、その格納データをパーソナルコンピュータなどに送出することで、収録データの解析を可能にしている。
【０００３】
複数チャンネルの外部入力センサを接続可能な従来の携帯型データ収録装置では、携帯性の確保から外形サイズに制約があり、また、操作性からキー操作部のサイズをある程度の大きさで確保しなければならないため、表示部のサイズが限定される場合があった。この表示部は、従来、指示値などの特定の表示情報を固定的に表示する固定セグメントから構成され、例えば数字の場合には、７セグメント（日の字配列された固定セグメント）構成のものが用いられ、簡易な携帯型データ収録装置として利用されていた。
【０００４】
【発明が解決しようとする課題】
しかしながら、従来の携帯型データ収録装置は、表示部が固定セグメント構成であったため、画一的な表示内容に限られ、多数のセンサから入力される多種類のデータを、利用者のニーズに合わせた自由な組合せで表示することができなかった。数字セグメントも７セグメントからなるものでは表示サイズを変更したり、任意のチャンネル数を自在に表示したりすることができなかった。あるいは、固定キャラクタタイプも用いられていたが、同様の問題点があった。このため、視認性重視の画面、或いは情報量重視の画面を自在に切り替えすることが可能な携帯型データ収録装置の要請があった。
また、収録データの演算情報や、付随情報の表示が可能で、結果の判定が簡便に行える携帯型データ収録装置の要請があった。
本発明は上記状況に鑑みてなされたもので、現場にて収録した収録データを、現在データ、過去データを問わず多様に表示させ得るとともに、演算情報や付随情報の表示も可能となる携帯型データ収録装置を提供し、携帯型データ収録装置の利便性向上を図ることを目的とする。
【０００５】
【課題を解決するための手段】
この発明の請求項１記載の携帯型データ収録装置は、外部のセンサから入力される複数チャンネルのデータを収録する携帯型データ収録装置において、任意の画面構成でデータ表示を行なうことができるドットマトリクス表示部と、前記複数チャンネルのデータの中から１チャンネル以上のデータを選択して前記ドットマトリクス表示部に表示させる制御部と、前記制御部を操作するためのキー操作部と、を有することを特徴とする。
【０００６】
この携帯型データ収録装置では、ドットマトリクス表示部が備えられ、限られた大きさの表示部で、画面構成、文字サイズの変更表示が可能になるとともに、他の情報との同時表示が可能となり、視認性重視の画面、或いは情報量重視の画面が自在に切り替え可能となる。また、収録中において過去のデータが表示可能となり、現場での収録データの確認が簡便に行えるようになる。さらに、演算情報や付随情報が表示可能となり、結果の判定が簡便に行えるようになる。
【０００７】
請求項２記載の携帯型データ収録装置１は、請求項１記載の携帯型データ収録装置において、前記制御部が、キー操作で表示チャンネルの数を１又はそれ以上との間で任意に切り替える機能を有することを特徴とする。
【０００８】
この携帯型データ収録装置では、チャンネル数切替機能が付与され、１チャンネル（ＣＨ）表示を選択した場合には、表示サイズの範囲で表示内容の拡大表示が可能となり、視認性が高められる。また、複数ＣＨ表示を選択した場合には、データ相互間の比較判定が可能となる。
【０００９】
請求項３記載の携帯型データ収録装置は、請求項１記載の携帯型データ収録装置において、前記制御部が、全チャンネル数よりも少ない数のチャンネルを表示しているときに、表示するチャンネルの組み合わせをキー操作で変える機能を有することを特徴とする。
【００１０】
この携帯型データ収録装置では、チャンネル組替え機能が付与され、複数ＣＨ表示時に、所望ＣＨの組み合せが可能となり、比較判定の対象データが自在に選択可能となる。
【００１１】
請求項４記載の携帯型データ収録装置は、請求項１記載の携帯型データ収録装置において、前記制御部が、２チャンネル以上を表示しているときに各チャンネルの指示値に加え、表示された各チャンネル間の演算値、例えば平均値や差演算値等を表示する機能を有することを特徴とする。
【００１２】
この携帯型データ収録装置では、演算値表示機能が付与され、２チャンネル以上のデータが表示されている場合に、表示された各チャンネル間の平均値や差演算値等が表示され、収録現場における簡易なデータ解析が可能となる。
【００１３】
請求項５記載の携帯型データ収録装置は、請求項１記載の携帯型データ収録装置において、前記制御部が、現在表示しているチャンネルの過去のデータをキー操作により表示する機能を有することを特徴とする。
【００１４】
この携帯型データ収録装置では、過去データ表示機能が付与され、収録現場にて、収録データの増減経過や、収録結果（正常な収録が行われたか否か）の確認が可能となり、データのミス収録が防止可能となる。
【００１５】
請求項６記載の携帯型データ収録装置は、請求２又は３記載の携帯型データ収録装置において、前記制御部が、現在表示しているチャンネルの過去のデータをキー操作により表示する機能を有することを特徴とする。
【００１６】
この携帯型データ収録装置では、チャンネル数切替機能及びチャンネル組替え機能の付与された携帯型データ収録装置において、さらに過去データ表示機能が付与され、所望ＣＨ間の過去データの比較表示が可能となる。
【００１７】
請求項７記載の携帯型データ収録装置は、請求項５又は６記載の携帯型データ収録装置において、前記制御部が、過去データ表示時に当該過去データの付随情報を同時に表示する機能を有することを特徴とする。
【００１８】
この携帯型データ収録装置では、チャンネル数切替機能、チャンネル組替え機能、過去データ表示機能及び演算値表示機能が付与された携帯型データ収録装置において、さらに付随情報表示機能が付与され、所望ＣＨ間の過去データの比較表示と同時に、それぞれの過去データに付加されている付随情報（例えば収録時刻、データＮｏ、警報など）の把握も可能となる。
【００１９】
【発明の実施の形態】
以下、本発明に係る携帯型データ収録装置の好適な実施の形態を図面を参照して詳細に説明する。
図１は本発明に係る携帯型データ収録装置の外観を表した平面図、図２は図１に示した携帯型データ収録装置の構成を表すブロック図である。
図１に示すように、携帯型データ収録装置１は、片手にて携帯可能な外形サイズの筺体３を有している。この筺体３の上端側の一側面には、外部センサ５（図２参照）と接続されるコネクタ端子部７が設けられている。また、筺体３の表面には例えば液晶表示装置からなるドットマトリクス表示部９が形成される。筺体３の表面には、ドットマトリクス表示部９の下側にキー操作部１１が設けられ、キー操作部１１は、テンキー１３と、上下左右の移動キー１５Ｒ、１５Ｌ、１５Ｕ、１５Ｄと、機能キー１７ａ、１７ｂとからなる。
【００２０】
筺体３の内部にはキー操作部１１からの操作信号が入力される図２に示す制御部（ＣＰＵ）２１と、ＲＯＭ２３ａ、ＲＡＭ２３ｂからなる記憶手段２３が内蔵されている。制御部２１は、キー操作部１１と接続されるとともに、コネクタ端子部７、記憶手段２３、ドットマトリクス表示部９と接続されている。制御部２１は、コネクタ端子部７から入力される外部センサ５からのデータ信号を、記憶手段２３へと格納する。記憶手段２３のＲＯＭ２３ａは、各種の表示機能及び演算機能を実行するためのプログラムを格納している。また、ＲＡＭ２３ｂは、外部センサ５から入力されるデータを格納可能としている。
【００２１】
データの格納方式としては例えばランダムファイル方式が用いられ、収録データのほか、レコードＮｏデータ、付随情報などの各種データが１レコード内のそれぞれのフィールドに格納されるようになっている。このランダムファイルからは、任意のレコードＮｏにおける収録データが、上記の付随情報と共に呼び出されるようになっている。
【００２２】
携帯型データ収録装置１は、制御部２１に格納された制御プログラムによって処理が実行される「チャンネル数切替機能」、「チャンネル組替え機能」、「演算値表示機能」、「過去データ表示機能」、「付随情報表示機能」等を有している。「チャンネル数切替機能」は、キー操作で表示チャンネルの数を１又はそれ以上との間で任意に切り替える。「チャンネル組替え機能」は、全チャンネル数よりも少ない数のチャンネルを表示しているときに、表示するチャンネルの組み合わせをキー操作で変更可能とする。「演算値表示機能」は、２チャンネル以上を表示しているときに各チャンネルの指示値に加え、表示された各チャンネル間の演算値、例えば平均値や差演算値等を表示する。「過去データ表示機能」は、現在表示しているチャンネルの過去のデータをキー操作により表示する。「付随情報表示機能」は、例えば収録時刻、データＮｏ、警報情報などの付随情報を表示する。
【００２３】
そして、これらチャンネル数切替機能及びチャンネル組替え機能と、過去データ表示機能とは後述するようにリンクして動作可能となっている。また、チャンネル数切替機能、チャンネル組替え機能及び過去データ表示機能と、付随情報表示機能とは後述するようにリンクして動作可能となっている。
【００２４】
次に、このように構成される携帯型データ収録装置１の動作を説明する。
図３はチャンネル数切替機能、チャンネル組替え機能、演算値表示機能の処理手順を表す流れ図、図４はチャンネル数切替機能の表示切り替え動作を表した説明図、図５はチャンネル数切替機能の切り替え画面を例示した説明図、図６は１ＣＨ表示時におけるチャンネル組替え機能の組替え状況を表した説明図、図７は２ＣＨ表示時におけるチャンネル組替え機能の組替え状況を表した説明図、図８は演算値表示機能の表示状況を表した説明図、図９はチャンネル数切替機能とチャンネル組替え機能と過去データ表示機能の動作状況を模式的に表した説明図、図１０はチャンネル数切替機能、チャンネル組替え機能、過去データ表示機能に、付随情報表示機能を動作させた状況の説明図である。
【００２５】
図３に示すように、表示処理が開始され、外部センサ５からのデータを入力している携帯型データ収録装置１は、表示ＣＨ数の入力待ちとなり（ｓｔ１）、例えばテンキー１３の「１」キーが入力されると、１ＣＨ表示へチャンネル数が切替えられる（ｓｔ３）。「２」「４」キーが入力されると、２ＣＨ表示（ｓｔ５）、４ＣＨ表示（ｓｔ７）へチャンネル数が切替えられる。
【００２６】
このチャンネル数切替は、図４に示すように、１ＣＨ表示の状態において、テンキー１３の「２」キーが入力されれば、２ＣＨ表示となり、２ＣＨ表示状態において、テンキー１３の「４」キー、「１」キーが入力されれば、４ＣＨ表示、１ＣＨ表示とチャンネル数が切替わる。また、その逆の入力手順による表示も可能としている。
【００２７】
このとき、ドットマトリクス表示部９は、図５（ａ）に示すように、１ＣＨ表示の場合、２ＣＨ３１に入力された１つのデータ３３が拡大表示される。また、この際、ドットマトリクス表示部９には、同時に、付随情報である年月日３５、及び時刻３７が表示される。また、２ＣＨ表示の場合、図５（ｂ）に示すように、表示サイズが縮小されて、２つのデータ３８、３９とが同時表示される。さらに、４ＣＨ表示の場合、図５（ｃ）に示すように、表示サイズがさらに縮小され、４つのＣＨのデータが同時表示されることとなる。
【００２８】
また、この際、図５（ｃ）に示すように、ドットマトリクス表示部９では、各データごとの熱電対種類４１、熱電対特定番号４３の同時表示が可能となっている。
【００２９】
図３に示すように、全ＣＨ表示以外の１ＣＨ表示、２ＣＨ表示を行った場合には、左右の移動キー１５Ｒ、１５Ｌを入力することにより、チャンネル組替え機能が動作するようになっている。例えば、図６に示すように、ＣＨ１表示時において、右移動キー１５Ｒが入力されると、表示データがＣＨ２のデータとなり、再び右移動キー１５Ｒが押されて行くことで、表示データがＣＨ３のデータ、ＣＨ４のデータを経てＣＨ１のデータへ戻るようになっている。また、その逆の入力キー（左移動キー１５Ｌ）手順による表示も可能としている。
【００３０】
また、図７に示す２ＣＨ表示を行っている状態において、このチャンネル組替え機能が動作されると、例えばＣＨ１、ＣＨ２が表示されているドットマトリクス表示部９で、右移動キー１５Ｒが入力されると、ＣＨ２、ＣＨ３の表示に切替わり、さらに右移動キー１５Ｒが入力されて行くことで、表示データがＣＨ３、ＣＨ４のデータ、ＣＨ４、ＣＨ１のデータを経てＣＨ１、ＣＨ２のデータへ戻るようになっている。また、その逆の入力キー（左移動キー１５Ｌ）手順による表示も可能としている。
【００３１】
携帯型データ収録装置１では、１ＣＨ以上のＣＨ表示時に、演算値表示機能が動作するようになっている。この演算値としては、差演算、ＣＨ間平均演算が行われる。すなわち、図３に示すように、２ＣＨ表示時において、機能キー１７ａが入力されると（ｓｔ９）、図８（ａ）に示すように、ＣＨ３と、ＣＨ４とのデータの差演算値が４５が表示される。また、図８（ｂ）に示した４ＣＨ表示時において、機能キー１７ｂが入力されると（ｓｔ１１）、ＣＨ間平均演算値（平均値）４７が表示されるようになっている。
【００３２】
したがって、チャンネル数切替機能の動作では、１ＣＨ表示を選択した場合には、表示サイズの範囲で表示内容の拡大表示が可能となり、視認性が高められる。また、複数ＣＨ表示を選択した場合には、データ相互間の比較判定が可能となる。
【００３３】
また、チャンネル組替え機能の動作では、複数ＣＨ表示時に、所望ＣＨの組み合せが可能となり、比較判定の対象データが自在に選択可能となる。
【００３４】
さらに、演算値表示機能の動作では、２チャンネル以上のデータが表示されている場合に、表示された各チャンネル間の平均値や差演算値が表示され、収録現場における簡易なデータ解析が可能となる。
【００３５】
これに加え、本実施の形態による携帯型データ収録装置１は、現在表示しているＣＨの過去データ表示機能を有する。この過去データ表示機能は、上下移動キー１５Ｕ、１５Ｄによって入力操作される。過去データ表示機能は、チャンネル数切替機能とチャンネル組替え機能と併用可能となっている。
【００３６】
したがって、図９に示すように、例えば現在のＣＨが１ＣＨ表示で表示されている場合に（図中左上の画面イ）、下移動キー１５Ｄが入力されると、４５６番目のデータ画面ロが表示される。この状態で、テンキー１３の「２」キーが入力されると、２ＣＨ表示で４５６番目のデータ画面ハが表示される。この表示状態で、下移動キー１５Ｄが入力されると、２ＣＨ表示で４５５番目のデータ画面ニが表示され、ここで、テンキー１３の「４」キーが入力されると、４ＣＨ表示で４５５番目のデータ画面ホが表示されることになる。
【００３７】
さらに、本実施の形態による携帯型データ収録装置１は、付随情報表示機能を有している。この付随情報表示機能は、上記したチャンネル数切替機能、チャンネル組替え機能、過去データ表示機能と同時に動作可能となっている。したがって、例えば図１０（ａ）に示すように、１ＣＨ表示において、下移動キー１５Ｄが入力されることにより、図１０（ｂ）に示す直前の４５６番目の過去データが表示される。この際、そのデータに例えば警報表示が付加されている場合には、この付随情報である警報表示４９も同時に表示される。この警報表示４９としては、例えば上限温度警報「Ｈ」、下限温度警報「Ｌ」とすることができる。
【００３８】
また、この画面からチャンネル数切替機能を利用してテンキー１３の「４」キーを入力すれば、図１０（ｃ）に示すように、ＣＨ１〜４の４５６番目のデータが同時に表示され、かつその付随情報である警報表示４９が同時に表示されることになる。
【００３９】
したがって、過去データ表示機能が付与され、収録現場にて、収録データの増減経過や、収録結果（正常な収録が行われたか否か）の確認が可能となり、データのミス収録が防止可能となる。
【００４０】
また、チャンネル数切替機能及びチャンネル組替え機能の付与された携帯型データ収録装置１において、さらに過去データ表示機能が付与され、所望ＣＨ間の過去データの比較表示が可能となる。
【００４１】
さらに、チャンネル数切替機能、チャンネル組替え機能、過去データ表示機能及び演算値表示機能が付与された携帯型データ収録装置１において、さらに付随情報表示機能が付与され、所望ＣＨ間の過去データの比較表示と同時に、それぞれの過去データに付加されている付随情報（例えば収録時刻、データＮｏ、警報など）の把握も可能となる。
【００４２】
このように、上記の携帯型データ収録装置１によれば、ドットマトリクス表示部９が備えられ、限られた大きさの表示部で、画面構成、文字サイズの変更表示が可能になるとともに、他の情報との同時表示が可能となり、視認性重視の画面、或いは情報量重視の画面が自在に切り替え可能となる。また、収録中において過去のデータが表示可能となり、現場での収録データの確認が簡便に行えるようになる。さらに、演算情報や付随情報が表示可能となり、結果の判定が簡便に行えるようになる。
なお、本発明の携帯型データ収録装置が表示し得る演算情報や付随情報としては、上述したものに限らず、携帯型データ収録装置の用途や目的から必要な他のあらゆる内容を示す情報が含まれることは言うまでもない。
【００４３】
【発明の効果】
以上説明したように、本発明に係る請求項１記載の携帯型データ収録装置によれば、任意の画面構成でデータ表示を行なうドットマトリクス表示部と、複数チャンネルのデータの中から１チャンネル以上のデータを選択してドットマトリクス表示部に表示させる制御部と、制御部を操作するキー操作部とを備えているので、限られた大きさの表示部であっても、画面構成、文字サイズを変えたり、他の情報を合わせて表示したりして、視認性重視の画面、或いは情報量重視の画面を自在に切り替えることが可能となる。また、収録中において過去のデータが表示可能となるので、現場での収録データの確認が可能となる。さらに、演算情報や付随情報が表示可能となるので、結果の判定が簡便に行えるようになる。この結果、現場にて収録した収録データを、現在データ、過去データを問わず多様に表示させ得るとともに、各種情報の表示も同時に可能にして、携帯型データ収録装置の利便性を大幅に向上させることができる。
【図面の簡単な説明】
【図１】本発明に係る携帯型データ収録装置の外観を表した平面図である。
【図２】図１に示した携帯型データ収録装置の構成を表すブロック図である。
【図３】チャンネル数切替機能、チャンネル組替え機能、演算値表示機能の処理手順を表す流れ図である。
【図４】チャンネル数切替機能の表示切り替え動作を表した説明図である。
【図５】チャンネル数切替機能の切り替え画面を例示した説明図である。
【図６】１ＣＨ表示時におけるチャンネル組替え機能の組替え状況を表した説明図である。
【図７】２ＣＨ表示時におけるチャンネル組替え機能の組替え状況を表した説明図である。
【図８】演算値表示機能の表示状況を表した説明図である。
【図９】チャンネル数切替機能とチャンネル組替え機能と過去データ表示機能の動作状況を模式的に表した説明図である。
【図１０】チャンネル数切替機能、チャンネル組替え機能、過去データ表示機能に、付随情報表示機能を動作させた状況の説明図である。
【符号の説明】
１…携帯型データ収録装置
９…ドットマトリクス表示部
１１…キー操作部
２１…制御部
４５…演算値としての差演算値
４７…演算値としての平均値
４９…付随情報としての警報表示
【図１】
2004191318.tif 000003
【図２】
2004191318.tif 000004
【図３】
2004191318.tif 000005
【図４】
2004191318.tif 000006
【図５】
2004191318.tif 000007
【図６】
2004191318.tif 000008
【図７】
2004191318.tif 000009
【図８】
2004191318.tif 000010
【図９】
2004191318.tif 000011
【図１０】
2004191318.tif 000012